(57)【特許請求の範囲】
【請求項１】
電子部品が装着される一対のカセットブロックを有し、前記一対のカセットブロックが部品装着方向に互いに間隔をあけて配置された電気接続箱において、
一方の前記カセットブロックには、前記電子部品と電気接続される断面コ字状のバスバが装着され、
前記バスバは、コ字状の中央部が、前記部品装着方向に対して垂直な垂直方向に配置されているとともに、コ字状の両端部が前記部品装着方向に配置され、
他方の前記カセットブロックに装着される前記電子部品が、前記バスバの前記コ字状の中央部に対向する
ことを特徴とする電気接続箱。
【請求項２】
前記一方のカセットブロックには、前記バスバと電気接続される前記電子部品が、二列に配置される
ことを特徴とする請求項１に記載の電気接続箱。
【請求項３】
前記一方または前記他方のカセットブロックに、前記他方または前記一方のカセットブロックに向かって延びた板部が設けられ、
前記板部に、前記他方または前記一方のカセットブロックが係止する係止部が設けられている
ことを特徴とする請求項１または請求項２に記載の電気接続箱。
【請求項４】
前記一方のカセットブロックにヒューズが装着され、
前記他方のカセットブロックにリレーが装着され、
前記リレーが、前記ヒューズに直列接続される
ことを特徴とする請求項１ないし請求項３のうちいずれか１項に記載の電気接続箱。
【発明の詳細な説明】
【技術分野】
【０００１】
本発明は、ワイヤハーネスの相互接続に用いられる電気接続箱に関し、特に、電子部品が装着されるカセットブロックを複数有する電気接続箱に関するものである。
【背景技術】
【０００２】
自動車には多種多様な電子機器が搭載されている。これら多種多様な電子機器に電力供給及び信号伝達を行うために、前記自動車には、複数の電線が束ねられて構成されたワイヤハーネスが複数配索されている。また、前記自動車には、ワイヤハーネスの相互接続に用いられる電気接続箱が適宜箇所に配置されている。
【０００３】
上記電気接続箱の一例として、電子部品が装着される一対のカセットブロックと、これら一対のカセットブロックを収容するケースと、を有し、一対のカセットブロックがケースの深さ方向に間隔をあけて配置された電気接続箱が公知である（例えば特許文献１を参照。）。
【先行技術文献】
【特許文献】
【０００４】
【特許文献１】特開２００９−２７８８００号公報
【発明の概要】
【発明が解決しようとする課題】
【０００５】
しかしながら、上述した電気接続箱においては、一方のカセットブロックに取り付けられる電線と、他方のカセットブロックに装着される電子部品との干渉を避けるため、一対のカセットブロック間の間隔を大きく取ったり、電線を除けるカバーを用いる必要があるので、ケースが大型化したり、部品点数が増加するという問題があった。
【０００６】
したがって、本発明は、一対のカセットブロックが部品装着方向に互いに間隔をあけて配置された電気接続箱において、部品点数を増加させることなく、小型化を図ることができる電気接続箱を提供することを目的とする。
【課題を解決するための手段】
【０００７】
上記目的を達成するために請求項１に記載された発明は、電子部品が装着される一対のカセットブロックを有し、前記一対のカセットブロックが部品装着方向に互いに間隔をあけて配置された電気接続箱において、一方の前記カセットブロックには、前記電子部品と電気接続される断面コ字状のバスバが装着され、前記バスバは、コ字状の中央部が、前記部品装着方向に対して垂直な垂直方向に配置されているとともに、コ字状の両端部が前記部品装着方向に配置され、他方の前記カセットブロックに装着される前記電子部品が、前記バスバの前記コ字状の中央部に対向することを特徴とする電気接続箱である。
【０００８】
請求項２に記載された発明は、請求項１に記載された発明において、前記一方のカセットブロックには、前記バスバと電気接続される前記電子部品が、二列に配置されることを特徴とするものである。
【０００９】
請求項３に記載された発明は、請求項１または請求項２に記載された発明において、前記一方または前記他方のカセットブロックに、前記他方または前記一方のカセットブロックに向かって延びた板部が設けられ、前記板部に、前記他方または前記一方のカセットブロックが係止する係止部が設けられていることを特徴とするものである。
【００１０】
請求項４に記載された発明は、請求項１ないし請求項３のうちいずれか１項に記載された発明において、前記一方のカセットブロックにヒューズが装着され、前記他方のカセットブロックにリレーが装着され、前記リレーが、前記ヒューズに直列接続されることを特徴とするものである。
【発明の効果】
【００１１】
請求項１，２に記載された発明によれば、他方の前記カセットブロックに装着される前記電子部品が、前記バスバの中央部に対向し、一方のカセットブロックに取り付けられる電線と、他方のカセットブロックに装着される電子部品とが部品装着方向に対向しないので、一対のカセットブロック間の間隔を狭くすることができ、そのために、部品点数を増加させることなく、小型化を図ることができる電気接続箱を提供することができる。
【００１２】
請求項３に記載された発明によれば、前記一方または前記他方のカセットブロックに、前記他方または前記一方のカセットブロックに向かって延びた板部が設けられ、前記板部に、前記他方または前記一方のカセットブロックが係止する係止部が設けられているので、容易に組み立てることができる電気接続箱を提供することができる。
【００１３】
請求項４に記載された発明によれば、一方のカセットブロックに装着されるヒューズと他方のカセットブロックに装着されるリレーとを近接させることができるので、リレーとヒューズとの配線作業を容易にすることができる。また、リレーとヒューズとを接続する電線を短くできる。
【図面の簡単な説明】
【００１４】
【図１】本発明の一実施形態にかかる電気接続箱を示す断面図である。
【図２】図１に示された電源ブロックの斜視図である。
【図３】図１に示された電源ブロックの正面図である。
【図４】図１に示された電源ブロックの平面図である。
【図５】図１に示された電源ブロックの底面図である。
【図６】図１に示された電源ブロックの分解図である。
【図７】図１に示された電源ブロックを構成する一方のカセットブロックの底面図である。
【図８】図１に示された電源ブロックを構成する他方のカセットブロックの斜視図である。
【図９】図１に示された電源ブロックの回路図である。
【発明を実施するための形態】
【００１５】
本発明の一実施形態にかかる「電気接続箱」を図１〜９を参照して説明する。
【００１６】
本発明の電気接続箱１は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１７】
上記電気接続箱１は、図１に示すように、一対のカセットブロック３，４が組み付けられて成る電源ブロック１０と、電源ブロック１０を収容したケース２と、を有している。ケース２は、箱状のケース本体２ａと、ケース本体２ａの開口部を覆う蓋部２ｂと、で構成されている。
【００１８】
上記電源ブロック１０は、図９の回路図に示すように電力を分配するものであり、図２〜６に示すように、複数の電子部品６，７，８と、これら電子部品６，７，８が装着される一対のカセットブロック３，４と、一方のカセットブロック３に装着されるバスバ５と、複数の電線１１，１２と、で構成されている。また、符号１３は入力電源線であり、符号９は入力電源線１３の端末に接続されたコネクタである。
【００１９】
上記電子部品６，７はヒューズであり、一方のカセットブロック３に装着される。上記電子部品８はマイクロリレーであり、他方のカセットブロック４に装着される。また、図１〜６中の矢印Ｙは、ヒューズ６，７及びマイクロリレー８がカセットブロック３，４に装着される「部品装着方向」を示しており、矢印Ｘ及び矢印Ｚは、前記部品装着方向に対して垂直な「垂直方向」を示している。
【００２０】
上記カセットブロック３は、合成樹脂で構成されている。カセットブロック３は、矩形状の本体部３０と、本体部３０の一端に設けられたコネクタ嵌合部３９と、本体部３０の外面に設けられた４つの係止部３２と、本体部３０の両端に設けられた一対の板部３１と、を有している。本体部３０には、複数のヒューズ６，７が装着される複数のヒューズ装着部３６，３７が設けられている。複数のヒューズ装着部３６，３７は、図４に示すように、二列に配列されている。コネクタ嵌合部３９には、上述したコネクタ９が嵌合される。４つの係止部３２は、ケース本体２ａに設けられた図示しない係止受け部にそれぞれ係止する。一対の板部３１は、他方のカセットブロック４に向かって板状に延びている。各板部３１の先端には、他方のカセットブロック４が係止する係止部３４が設けられている。
【００２１】
上記カセットブロック４は、合成樹脂で構成されている。他方のカセットブロック４は、矩形状の本体部４０と、本体部４０の両端に設けられた一対の係止受け部４３と、を有している。本体部４０には、複数のマイクロリレー８が装着される複数のリレー装着部４８が設けられている。複数のリレー装着部４８は、一列に配列されている。一対の係止受け部４３は、上述した一方のカセットブロック３の一対の板部３１に設けられた係止部３４に係止する。
【００２２】
また、カセットブロック４側の係止受け部４３は、図８に示すように、本体部４０の外面から凸に設けられた突起部４３ａと、突起部４３ａの両側に設けられた一対のレール部４３ｂと、で構成されている。また、カセットブロック３側の係止部３４は、図６に示すように、板部３１の内面から凸に設けられた突起部３４ａと、突起部３４ａの両側に設けられた一対の溝部３４ｂと、で構成されている。そして、一対のレール部４３ｂが一対の溝部３４ｂ内に挿入されて突起部４３ａが突起部３４ａに引っ掛かることにより、係止受け部４３と係止部３４とが互いに係止する。このように係止受け部４３と係止部３４とが互いに係止することにより、一対のカセットブロック３，４が部品装着方向に互いに間隔をあけて固定される。
【００２３】
上記バスバ５は、図９に示すように、コネクタ９から入力された電力を複数のヒューズ６，７に分配するためのものであり、金属板にプレス加工が施されて得られるものである。このバスバ５は、図６に示すように、コ字状に折り曲げられた基部５０と、基部５０の対向する一端及び他端から延設された複数の端子部５６，５７と、コネクタ９と電気接続される端子部５９と、端子部５９と基部５０とを繋いだ連結部５１と、を有している。端子部５６は、音叉状に形成されており、ヒューズ６と電気接続される。端子部５７は、長方形板状に形成されており、ヒューズ７と電気接続される。
【００２４】
上記バスバ５は、図７に示すようにカセットブロック３に装着された状態で、基部５０の中央部５０ａが、部品装着方向（矢印Ｙ）に対して垂直な垂直方向（矢印Ｘ，矢印Ｚ）に配置されているとともに、複数の端子部５６，５７（請求項の「コ字状の両端部」）が部品装着方向（矢印Ｙ）に配置されている。また、基部５０の中央部５０ａは、矢印Ｘ方向に延びた帯状に形成されている。また、基部５０の中央部５０ａは、カセットブロック４に装着されたマイクロリレー８と部品装着方向（矢印Ｙ）に対向する（図２，３を参照。）。
【００２５】
上記電線１１は、図２，５，９に示すように、各ヒューズ７と各マイクロリレー８とを接続する電線である。また、一方のカセットブロック３の底面側から各ヒューズ７に接続された電線１１は、マイクロリレー８の側方を通され、他方のカセットブロック４の底面側から各マイクロリレー８に接続される。すなわち、マイクロリレー８は、電線１１を介してヒューズ７に直列接続される。上記電線１２は、図２，５，９に示すように、各ヒューズ６に接続される電線である。また、一方のカセットブロック３の底面側から各ヒューズ６に接続された電線１２は、マイクロリレー８の側方を通され、ケース２外に導出される。すなわち、電線１１，１２は、マイクロリレー８と部品装着方向（矢印Ｙ）に対向しない。このことから、一対のカセットブロック３，４間の間隔の大小に係わらず、電線１１，１２はマイクロリレー８に干渉しない。
【００２６】
このように、本発明では、一方のカセットブロック３に取り付けられる電線１２が、他方のカセットブロック４に装着されるマイクロリレー８と部品装着方向（矢印Ｙ）に対向しないので、一対のカセットブロック３，４間の間隔を、バスバ５とマイクロリレー８とが干渉しない範囲内で狭くすることができる。よって、ケース２の小型化を図ることができる。また、電線１２を除けるカバーを用いる必要がない。
【００２７】
また、本発明では、一方のカセットブロック３に装着されるヒューズ７と他方のカセットブロック４に装着されるマイクロリレー８とを近接させることができるので、マイクロリレー８とヒューズ７との配線作業を容易にすることができる。また、マイクロリレー８とヒューズ７とを接続する電線１１を短くできる。
【００２８】
上記電源ブロック１０は、バスバ５、電子部品６，７，８、電線１１，１２が装着されるとともに一対のカセットブロック３，４同士が組み付けられた状態でケース本体２ａ内に挿入されて、一方のカセットブロック３に設けられた４つの係止部３２が、ケース本体２ａに設けられた図示しない係止受け部にそれぞれ係止することにより、ケース本体２ａに組み付けられる。
【００２９】
このように、本発明では、一対のカセットブロック３，４を個別にケース本体２ａに組み付ける必要がないので、電気接続箱１を容易に組み立てることができる。
【００３０】
また、図１に示すように、カセットブロック３は、ケース本体２ａの開口部近傍に配置され、カセットブロック４は、ケース本体２ａの底側に配置される。電気接続箱１においては、このような配置にしていることから、ヒューズ６，７を交換する際は、蓋部２ｂを外すだけで容易にヒューズ６，７の交換ができる。
【００３１】
また、上述した実施形態では、一方のカセットブロック３側に一対の板部３１が設けられていたが、本発明では、他方のカセットブロック４側に一対の板部３１を設けても良い。また、本発明では、一対の板部３１を必ずしも設けていなくても良く、その場合は、一対のカセットブロック３，４を個別にケース本体２ａに組み付ける係止手段を設けていれば良い。
【００３２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  電気接続箱
３，４  カセットブロック
５  バスバ
６，７  ヒューズ（電子部品）
８  マイクロリレー（電子部品）
【図１】
0005875115.tif 000002
【図２】
0005875115.tif 000003
【図３】
0005875115.tif 000004
【図４】
0005875115.tif 000005
【図５】
0005875115.tif 000006
【図６】
0005875115.tif 000007
【図７】
0005875115.tif 000008
【図８】
0005875115.tif 000009
【図９】
0005875115.tif 000010